(57)【要約】【課題】補助熱交換器の取り付けを容易にする。【解決手段】熱交換器ユニット１２は、複数のフィン２２、及び複数のフィン２２の両端に配置された第１端板２３を有する本体熱交換器２１と、複数のフィン２５、及び複数のフィン２５の一端に配置された第２端板２６を有する補助熱交換器２４とを備えている。第１端板２３には、複数のフィン２２の一部を覆うように突出している第１突出部２３ａが形成されている。本体熱交換器２１と補助熱交換器２４とを積層したときに、第１突出部２３ａがスペーサとして機能し、本体熱交換器２１のフィン２２と補助熱交換器２４のフィン２５との間に隙間が形成される。【選択図】図６
2010065903.tif 000002
【特許請求の範囲】
【請求項１】
複数の第１薄板と、前記複数の第１薄板の一端または両端に配置された第１端板とを有する本体熱交換器と、
複数の第２薄板と、前記複数の第２薄板の一端または両端に配置された第２端板とを有し、前記本体熱交換器に積層される補助熱交換器とを備え、
前記第１端板及び前記第２端板の少なくとも一方は、前記本体熱交換器と前記補助熱交換器とが積層されたときに前記第１薄板と前記第２薄板との間に隙間が形成されるように構成されていることを特徴とする熱交換器ユニット。
【請求項２】
前記第１端板は、前記複数の第１薄板の一部を覆うように突出する第１突出部を有していることを特徴とする請求項１に記載の熱交換器ユニット。
【請求項３】
前記第２端板は、前記本体熱交換器とは反対側において前記複数の第２薄板の一部を覆うように突出する第２突出部を有しており、
前記本体熱交換器と前記補助熱交換器とが積層された状態において、前記第１突出部と前記第２突出部とは積層方向に関して重なり合う位置に配置されていることを特徴とする請求項２に記載の熱交換器ユニット。
【請求項４】
請求項１〜３のいずれか１項に記載の熱交換器ユニットを備えた空気調和機。
【発明の詳細な説明】
【技術分野】
【０００１】
本発明は、本体熱交換器と補助熱交換器とを有する熱交換器ユニット及びそれを備えた空気調和機に関するものである。
【背景技術】
【０００２】
従来、本体熱交換器と補助熱交換器とを備えており、高い熱交換効率を実現可能な熱交換器ユニットが知られている（例えば、特許文献１参照）。ここで、本体熱交換器及び補助熱交換器としては、いずれも薄板状の複数のフィンが厚み方向に等間隔で配置されていると共に伝熱管が貫通しているものが用いられる。かかる熱交換器ユニットにおいては、補助熱交換器は、積層された状態で本体熱交換器に取り付けられている。
【特許文献１】特開２００１−５９６２８号公報
【発明の開示】
【発明が解決しようとする課題】
【０００３】
ここで、補助熱交換器を本体熱交換器に取り付ける際に、フィン同士が接触すると損傷する虞があるため、本体熱交換器のフィンと補助熱交換器のフィンとの間に隙間が形成されることが多い。従って、上述のような熱交換器ユニットにおいて補助熱交換器を本体熱交換器に取り付ける際には、本体熱交換器のフィンと補助熱交換器のフィンとの間に隙間が形成されるように、補助熱交換器を本体熱交換器から浮かせた状態で手で支えながら取り付け作業を行う必要がある。よって、補助熱交換器を本体熱交換器に取り付ける作業が非常に煩雑である。
【０００４】
この本発明は、上記のような課題を解決するためになされたものであり、補助熱交換器を本体熱交換器に容易に取り付けることができる熱交換器ユニット及びそれを備えた空気調和機を提供することを目的とする。
【課題を解決するための手段】
【０００５】
第１の発明にかかる熱交換器ユニットは、複数の第１薄板と、前記複数の第１薄板の一端または両端に配置された第１端板とを有する本体熱交換器と、複数の第２薄板と、前記複数の第２薄板の一端または両端に配置された第２端板とを有し、前記本体熱交換器に積層される補助熱交換器とを備え、前記第１端板及び前記第２端板の少なくとも一方は、前記本体熱交換器と前記補助熱交換器とが積層されたときに前記第１薄板と前記第２薄板との間に隙間が形成されるように構成されている。
【０００６】
この熱交換器ユニットでは、第１薄板と第２薄板との間に隙間が形成されるように本体熱交換器と補助熱交換器とを積層することができる。したがって、本体熱交換器と補助熱交換器とを積層したときに、補助熱交換器を手で支えて本体熱交換器から浮かせなくても、本体熱交換器の第１薄板と補助熱交換器の第２薄板との間に隙間が形成された状態で保持される。よって、例えば、補助熱交換器を本体熱交換器に積層した状態で取り付ける際に、本体熱交換器の第１端板と補助熱交換器の第２端板とをネジ等で固定するときでも、本体熱交換器との間の隙間を形成しつつ容易に補助熱交換器を取り付けることができる。
【０００７】
第２の発明にかかる熱交換器ユニットは、第１の発明にかかる熱交換器ユニットにおいて、前記第１端板は、前記複数の第１薄板の一部を覆うように突出する第１突出部を有している。
【０００８】
この熱交換器ユニットでは、第１薄板と第２薄板との間に隙間を形成しつつ本体熱交換器に補助熱交換器を積層する構成を簡略化できる。また、本体熱交換器に補助熱交換器が取り付けられない場合に、第１突出部をアース端子として利用できる。
【０００９】
第３の発明にかかる熱交換器ユニットは、第２の発明にかかる熱交換器ユニットにおいて、前記第２端板は、前記本体熱交換器とは反対側において前記複数の第２薄板の一部を覆うように突出する第２突出部を有しており、前記本体熱交換器と前記補助熱交換器とが積層された状態において、前記第１突出部と前記第２突出部とは積層方向に関して重なり合う位置に配置されている。
【００１０】
この熱交換器ユニットでは、第１突出部または第２突出部のいずれかをアース端子として利用する際に、補助熱交換器の有無に拘わらず、アース端子に接続されるアース線の長さがほぼ同一となるので、複数種類のアース線を準備する必要がない。また、補助熱交換器の有無に拘わらず、アース端子が他の部品の陰になることがない位置に配置できるので、アース端子へのアース線の接続作業が容易となる。
【００１１】
第４の発明にかかる空気調和機は、第１〜３のいずれかの発明にかかる熱交換器ユニットを備えている。
【００１２】
この空気調和機では、本体熱交換器の第１薄板と補助熱交換器の第２薄板との間に隙間を形成しつつ容易に補助熱交換器を本体熱交換器に取り付けることができるので、組み立て作業を簡易にできる。
【発明の効果】
【００１３】
以上の説明に述べたように、本発明によれば、以下の効果が得られる。
【００１４】
第１の発明では、第１薄板と第２薄板との間に隙間が形成されるように本体熱交換器と補助熱交換器とを積層することができる。従って、本体熱交換器と補助熱交換器とを積層したときに、補助熱交換器を手で支えて本体熱交換器から浮かせなくても、本体熱交換器の第１薄板と補助熱交換器の第２薄板との間に隙間が形成された状態で保持される。よって、例えば、補助熱交換器を本体熱交換器に積層した状態で取り付ける際に、本体熱交換器の第１端板と補助熱交換器の第２端板とをネジ等で固定するときでも、本体熱交換器との間の隙間を形成しつつ容易に補助熱交換器を取り付けることができる。
【００１５】
さらに、第２の発明では、第１薄板と第２薄板との間に隙間を形成しつつ本体熱交換器に補助熱交換器を積層する構成を簡略化できる。また、本体熱交換器に補助熱交換器が取り付けられない場合に、第１突出部をアース端子として利用できる。
【００１６】
また、第３の発明では、第１突出部または第２突出部のいずれかをアース端子として利用する際に、補助熱交換器の有無に拘わらず、アース端子に接続されるアース線の長さがほぼ同一となるので、複数種類のアース線を準備する必要がない。また、補助熱交換器の有無に拘わらず、アース端子が他の部品の陰になることがない位置に配置できるので、アース端子へのアース線の接続作業が容易となる。
【００１７】
加えて、第４の発明では、本体熱交換器の第１薄板と補助熱交換器の第２薄板との間に隙間を形成しつつ容易に補助熱交換器を本体熱交換器に取り付けることができるので、組み立て作業を簡易にできる。
【発明を実施するための最良の形態】
【００１８】
以下、図面に基づいて、本発明にかかる空気調和機の一実施形態について説明する。
【００１９】
〔基本構成〕
図１は、本発明の実施形態にかかる空気調和機の室内機１を前方斜め上から見た模式的斜視図である。図２は、図１に示す室内機１を前方から見た模式図である。図３は、図２に示す室内機１のIII−III断面模式図である。図４は、図２に示す室内機１の後述する前面パネル２０、前面グリル１７、及びフィルタユニット１５を取り外した模式図である。なお、ここでは室内機１についてのみ説明するが、空気調和機はこの室内機１に室外機などが接続されることにより構成されている。
【００２０】
図１に示すように、本実施形態の室内機１は、全体として一方向に細長い形状を有しており、その長手方向が水平となるように室内の壁面に取り付けられるものである。なお、以下の説明において、室内機１の長手方向を単に「長手方向」と称する。また、室内機１が取り付けられる壁から突出する方向を「前方」とし、その反対の方向を「後方」とする。
【００２１】
この室内機１は、本体ユニット１０と、本体ユニット１０の前面に取り付けられる前面パネル２０とを有して構成される。図３に示すように、本体ユニット１０は、本体ケーシング１１と、熱交換器ユニット１２と、クロスフローファン１３と、電装品ユニット１４と、フィルタユニット１５と、清掃ユニット１６と、前面グリル１７とを含んでいる。
【００２２】
熱交換器ユニット１２、クロスフローファン１３、電装品ユニット１４、及び、フィルタユニット１５は、本体ケーシング１１に取り付けられている。前面グリル１７は、これら熱交換器ユニット１２等の構成部材を覆うように本体ケーシング１１の前面に取り付けられている。清掃ユニット１６は、フィルタユニット１５に当接した状態で保持されるように、前面グリル１７の外側から、当該前面グリル１７の前面に嵌め込まれている。
【００２３】
図１に示すように、前面グリル１７には、天井部分に天面吸込口１７ａが形成されている。当該天面吸込口１７ａは前面グリル１７の天井部分を格子状にして形成されている。また、前面グリル１７の天井部分と前面パネル２０の上端との間には、長手方向に沿って延びる細長形状の隙間である前側吸込口２０ａが形成されている。そして、これら天面吸込口１７ａ及び前側吸込口２０ａから、外部の空気が当該前面グリル１７の内部へ吸い込まれる。
【００２４】
図３に示すように、天面吸込口１７ａ及び前側吸込口２０ａに対向する位置には、フィルタユニット１５によって支持されたエアフィルタ５１が配置されている。エアフィルタ５１は、天面吸込口１７ａと対向する部分の途中まではほぼ水平になっており、そこから前方に向かって外側に湾曲しつつ下方に延びている。このエアフィルタ５１によって、天面吸込口１７ａ又は前側吸込口２０ａを通過する空気に混在する埃等が取り除かれる。
【００２５】
なお、エアフィルタ５１は、フィルタユニット１５に備えられており、且つ図３に示すエアフィルタ５１の下端部近傍に位置するピニオン５２の駆動により移動可能である。すなわち、エアフィルタ５１は、通常運転時には、図３に示す天面吸込口１７ａ及び前側吸込口２０ａに対向する位置にあるが、エアフィルタ５１を清掃する清掃運転時にはピニオン５２が駆動され、ピニオン５２の周囲を通って後方に折り返すように移動する。
【００２６】
清掃ユニット１６は、長手方向に延びるブラシ６１を備えている。そして、清掃ユニット１６は、ブラシ６１がピニオン５２の駆動により移動するエアフィルタ５１の折り返し部分に当接するように、フィルタユニット１５の下方に嵌め込まれている。したがって、清掃運転時にピニオン５２を駆動してエアフィルタ５１を移動させることによって、エアフィルタ５１に付着した埃等をブラシ６１で除去できる。
【００２７】
熱交換器ユニット１２は、図３及び図４に示すように、本体熱交換器２１と本体熱交換器２１に積層される補助熱交換器２４とを有している。補助熱交換器２４は、冷媒と空気との熱交換を助長するためのものであり、これを備えていることで熱交換器ユニット１２は、高い熱交換効率を実現できる。なお、補助熱交換器２４を本体熱交換器２１に積層するか否かは、必要とされる能力などによって機種毎に異なる。
【００２８】
図３に示すように、本体熱交換器２１は、前側部分２１ａと後側部分２１ｂとを逆Ｖ字状に配置して構成されている。そして、本体熱交換器２１の前側部分２１ａの前面に補助熱交換器２４の前側部分２４ａが取り付けられている。また、本体熱交換器２１の後側部分２１ｂの後面に補助熱交換器２４の後側部分２４ｂが取り付けられている。
【００２９】
ここで、補助熱交換器２４の前側部分２４ａの上下方向に沿う長さは、本体熱交換器２１の前側部分２１ａの上下方向に沿う長さに比べて短い。そして、補助熱交換器２４の前側部分２４ａは、本体熱交換器２１の前側部分２１ａの前面をその上端部及び下端部を残して覆うように取り付けられている。図３に示すように、本体熱交換器２１の前側部分２１ａの前面における補助熱交換器２４で覆われていない下端部に対向する位置には、電装品ユニット１４が配置されている。
【００３０】
熱交換器ユニット１２の逆Ｖ字状の内側には、クロスフローファン１３が設けられている。このクロスフローファン１３は軸流ファンと呼ばれているもので、その軸方向が室内機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｂへ空気を滑らかに導くことができる。
【００３１】
本体ケーシング１１は、吹出口１７ｂの上側に位置するように上側壁面１１ｂを有する。当該上側壁面１１ｂは、前側熱交換器１２ａの下方に位置するドレンパン１１ｃと一体に成形されている。ドレンパン１１ｃと前面パネル２０との間の位置には、電装品ユニット１４が配置されている。また、後側熱交換器１２ｂの下方には、後側ドレンパン１１ｄが配置されている。
【００３２】
本体ケーシング１１、前面グリル１７、及び前面パネル２０は、横長のものである。また、吹出口１７ｂは、前面グリル１７の長手方向（横方向）に沿って延びるように形成されている。
【００３３】
室内機１においては、上面の天面吸込口１７ａ及び前側吸込口２０ａからクロスフローファン１３によって吸い込まれた室内空気を熱交換器ユニット１２に通過させ冷媒との間で熱交換させることにより、当該空気の冷却又は加熱が行われる。熱交換後の当該空気は、下面の吹出口１７ｂから室内へと吹出される。
【００３４】
〔熱交換器ユニット〕
ここで、図５及び図６をさらに参照しつつ熱交換器ユニット１２の構成について、より詳細に説明する。図５は、図４に示す熱交換器ユニット１２の右側端部近傍の斜視図である。図６は、熱交換器ユニット１２の分解斜視図である。なお、図６においては、説明の都合上後述する伝熱管２７の図示を一部省略している。また、以降の説明において、図４に示す熱交換器ユニット１２の右側端を「右端」、左側端を「左端」と称する。
【００３５】
本体熱交換器２１は、図５及び図６に示すように、長手方向に沿って等間隔で配置されている薄板状の複数のフィン２２を有するプレートフィン形の熱交換器である。そして、複数のフィン２２の端部には第１端板２３が配置されている。なお、第１端板２３は、複数のフィン２２の両端にそれぞれ配置されている。また、補助熱交換器２４は、本体熱交換器２１と同様に、長手方向に等間隔で配置された薄板状の複数のフィン２５と、複数のフィン２５の端部に配置された第２端板２６とを有している。なお、第２端板２６は、長手方向に沿って配置された複数のフィン２５の右端側にのみ配置されている。
【００３６】
そして、図５に示すように、本体熱交換器２１の複数のフィン２２及び第１端板２３と、補助熱交換器２４の複数のフィン２５及び第２端板２６とは、冷媒の流路となる伝熱管２７の複数の直線部分２７ａが長手方向に貫通している。伝熱管２７の複数の直線部分２７ａは、その端部において接続部分２７ｂによって互いに接続されている。
【００３７】
本体熱交換器２１の右端側の第１端板２３には、図６に示すように、前方側の端部において９０°折り曲げられており、複数のフィン２２の一部を覆うように突出している第１突出部２３ａが形成されている。したがって、補助熱交換器２４が本体熱交換器２１の前面に積層された場合には、第１突出部２３ａが、本体熱交換器２１のフィン２２と補助熱交換器２４のフィン２５と間に隙間を形成するスペーサとして機能する。
【００３８】
なお、第１突出部２３ａは、補助熱交換器２４を設けない機種である場合に、アース端子として機能する。したがって、第１突出部２３ａには、アース線を固定するためのネジを止める切欠き２３ｂが形成されている。
【００３９】
補助熱交換器２４の第２端板２６には、前方側の端部において９０°折り曲げられており、複数のフィン２５の一部を覆うように突出している第２突出部２６ａが形成されている。すなわち、第２突出部２６ａは、本体熱交換器２１とは反対側において複数のフィン２５の一部を覆っている。ここで、第２突出部２６ａは、本体熱交換器２１と補助熱交換器２４とが積層された状態で、本体熱交換器２１に形成された第１突出部２３ａと積層方向に重なり合う位置に形成されている。この第２突出部２６ａは、アース端子として機能するものであり、アース線を固定するためのネジ３０を止める切欠き２６ｂが形成されている。
【００４０】
ここで、補助熱交換器２４を設ける機種にも設けない機種にも対応できるように、本体熱交換器２１の前面における補助熱交換器２４で覆われない領域、すなわち本実施形態においては上端部や下端部にアース端子を設けることも考えられる。しかしながら、上述のように、本体熱交換器２１の前面の下端部に対向する位置には、電装品ユニット１４が配置されている。したがって、この位置にアース端子を設けると、アース線の接続作業ができなくなる。また通常、室内機１は室内の天井近傍の壁面に取り付けられるので、本体熱交換器２１の前面の上端部にアース端子を設けた場合には、アース線の接続作業が困難となる。
【００４１】
図４に示すように、本実施形態においてアース端子として機能する第２突出部２６ａは、前面パネル２０、前面グリル１７、及びフィルタユニット１５を取り外した状態において、他の部品等に覆われることなく前面に露出する位置にある。また、第２突出部２６ａは、上下方向に関して室内機１の略中央に位置している。したがって、第２突出部２６ａにアース線を接続するための作業を容易に行うことができる。さらに、上述のように、補助熱交換器２４を設けない機種である場合にアース端子として機能する第１突出部２３ａは、正面視において第２突出部２６ａと同じ位置に設けられている。したがって、補助熱交換器２４を設けない機種である場合でも、アース線の接続作業を容易に行うことが可能である。
【００４２】
本体熱交換器２１と補助熱交換器２４とは、その右端側において２本のネジ２８によって固定される。具体的には、第１端板２３には、前方に突出しており且つネジ受入孔２３ｃが形成されたネジ止部２３ｄが、第１突出部２３ａを挟んで上下に２つ形成されている。また、第２端板２６には、ネジ受孔２６ｃが２つ形成されている。２本のネジ２８は、これらネジ受入孔２３ｃ、２６ｃにそれぞれ挿通される。したがって、本体熱交換器２１と補助熱交換器２４とは、スペーサである第１突出部２３ａによって、本体熱交換器２１のフィン２２と補助熱交換器２４のフィン２５との間に隙間が形成された状態で固定される。
【００４３】
さらに、図４に示すように、本体熱交換器２１と補助熱交換器２４との左端側には、固定部材２９が嵌め込まれている。固定部材２９は、熱交換器ユニット１２を本体ケーシング１１に固定するためのものである。なお、本体熱交換器２１と補助熱交換器２４との左端側においては、本体熱交換器２１及び補助熱交換器２４に固定部材２９を取り付けることで、本体熱交換器２１のフィン２２と補助熱交換器２４のフィン２５との間に隙間が形成された状態で、本体熱交換器２１及び補助熱交換器２４が位置決めされる。
【００４４】
〔熱交換器ユニットの組み立て手順〕
ここで、図７〜図１１をさらに参照しつつ、熱交換器ユニット１２の組み立て手順について説明する。図７〜図１１は、いずれも組み立て途中の熱交換器ユニット１２を示す図である。図７は、補助熱交換器２４が取り付けられる前の状態を示す斜視図であり、図８は、図７の状態の側面図である。図９は、固定部材２９の取り付け工程を示す斜視図である。図１０は、本体熱交換器２１及び補助熱交換器２４が固定された状態を示す斜視図であり、図１１は、図１０の状態の側面図である。
【００４５】
まず、図７及び図８に示すような本体熱交換器２１と、補助熱交換器２４とを準備する。なお、本体熱交換器２１の右端側の伝熱管２７及び補助熱交換器２４の右端側の伝熱管２７には接続部分２７ｂは取り付けられていない。
【００４６】
次に、補助熱交換器２４を本体熱交換器２１に積層させるが、このとき、本体熱交換器２１の左端部と補助熱交換器２４の左端部とを固定部材２９に嵌め込み、固定部材２９を本体熱交換器２１の第１端板２３にネジ止めする。ここで、図９に示すように、固定部材２９には、本体熱交換器２１の伝熱管２７の接続部分２７ｂが嵌め込まれる挿入孔２９ａと、補助熱交換器２４の伝熱管２７の接続部分２７ｂが嵌め込まれる挿入凹部２９ｂとが形成されている。したがって、これら挿入孔２９ａ及び挿入凹部２９ｂに伝熱管２７を嵌め込むことで、本体熱交換器２１の左端部及び補助熱交換器２４の左端部近傍においては、本体熱交換器２１のフィン２２と補助熱交換器２４のフィン２５との間に隙間が形成された状態となる。
【００４７】
また、このとき、本体熱交換器２１の右端部及び補助熱交換器２４の右端部近傍においては、第１端板２３の第１突出部２３ａがスペーサとして機能することで、本体熱交換器２１のフィン２２と補助熱交換器２４のフィン２５との間に隙間が形成される。従って、補助熱交換器２４を本体熱交換器２１から浮かせなくても、本体熱交換器２１のフィン２２と補助熱交換器２４のフィン２５との間に隙間が形成された状態で保持される。
【００４８】
最後に、図１０及び図１１に示すように、第１突出部２３ａによって隙間が形成されている本体熱交換器２１及び補助熱交換器２４の右端部をネジ２８によって固定することで、熱交換器ユニット１２が完成する。
【００４９】
以上のように、本実施形態の熱交換器ユニット１２は、複数のフィン２２、及び複数のフィン２２の両端に配置された第１端板２３を有する本体熱交換器２１と、複数のフィン２５、及び複数のフィン２５の一端に配置された第２端板２６を有する補助熱交換器２４とを備えている。本体熱交換器２１と補助熱交換器２４とを積層したときに、第１端板２３に形成された第１突出部２３ａがスペーサとして機能し、本体熱交換器２１のフィン２２と補助熱交換器２４のフィン２５との間に隙間が形成される。したがって、熱交換器ユニット１２を組み立てる際において、本体熱交換器２１と補助熱交換器２４とを積層したときに、補助熱交換器２４を手で支える必要がないので、補助熱交換器２４を本体熱交換器２１に積層した状態で取り付けるべく、本体熱交換器２１の第１端板２３と補助熱交換器２４の第２端板２６とをネジ２８で固定する作業を容易に行うことができる。
【００５０】
また、本実施形態の熱交換器ユニット１２では、第１突出部２３ａは、複数のフィン２２の一部を覆うように突出している。したがって、本体熱交換器２１のフィン２２と補助熱交換器２４のフィン２５との間に隙間を形成しつつ本体熱交換器２１に補助熱交換器２４を積層する構成を簡略化できる。さらに、本体熱交換器２１に補助熱交換器２４が取り付けられない場合に、第１突出部２３ａをアース端子として利用できる。
【００５１】
加えて、本実施の形態の熱交換器ユニット１２では、第２端板２６に、本体熱交換器２１とは反対側において複数のフィン２５の一部を覆うように突出する第２突出部２６ａが形成されている。そして、本体熱交換器２１と補助熱交換器２４とが積層された状態において、第１突出部２３ａと第２突出部２６ａとは積層方向に関して重なり合う位置に配置されている。したがって、第１突出部２３ａまたは第２突出部２６ａのいずれかをアース端子として利用する際に、補助熱交換器２４の有無に拘わらず、アース端子に接続されるアース線の長さがほぼ同一となるので、複数種類のアース線を準備する必要がない。また、補助熱交換器２４の有無に拘わらず、アース端子が他の部品の陰になることがない位置に配置できるので、アース端子へのアース線の接続作業が容易となる。
【００５２】
以上、本発明の一実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５３】
例えば、上述の実施形態では、本体熱交換器２１の第１端板２３は、複数のフィン２２の両端に配置されており、補助熱交換器２４の第２端板２６は、複数のフィン２５の一端のみに配置されている場合について説明したが、これには限定されない。従って、本体熱交換器２１及び補助熱交換器２４においては、複数のフィンの少なくとも一方の端部に端板が設けられていればよい。
【００５４】
加えて、上述の実施形態では、本体熱交換器２１の第１端板２３に、本体熱交換器２１のフィン２２と補助熱交換器２４のフィン２５との間のスペーサとして機能する第１突出部２３ａが形成されている場合について説明したが、これには限定されない。従って、例えば、補助熱交換器２４の第２端板２６に、本体熱交換器２１のフィン２２と補助熱交換器２４のフィン２５との間のスペーサとして機能する部分が形成されていてもよいし、これらの両方に形成されていてもよい。また、本体熱交換器２１の第１端板２３及び補助熱交換器２４の第２端板２６の少なくとも一方に、本体熱交換器２１のフィン２２と補助熱交換器２４のフィン２５との間のスペーサとして機能する部分が形成されていればよく、その形状は変更できる。従って、上記のスペーサとして機能する部分は、フィンの一部を覆うように突出する形状のものに限られない。
【００５５】
さらに、上述の実施形態では、熱交換器ユニット１２は、その左端に固定部材２９に嵌め込むことで、本体熱交換器２１のフィン２２と補助熱交換器２４のフィン２５との間に隙間が形成されるので、本体熱交換器２１の右端の第１端板２３のみにスペーサとして機能する第１突出部２３ａが形成されているが、両端の第１端板２３に第１突出部２３ａが形成されていてもよい。
【００５６】
加えて、上述の実施形態では、本体熱交換器２１に形成された第１突出部２３ａと、補助熱交換器２４に形成された第２突出部２６ａとが積層方向に重なり合う場合について説明したが、これらは積層方向に重なっていなくてもよい。
【００５７】
また、上述の実施の形態では、補助熱交換器２４を設けない機種である場合に、第１突出部２３ａがアース端子として機能する場合について説明したが、補助熱交換器２４を設けない機種である場合のアース端子が、第１突出部２３ａとは別に設けられていてもよい。
【産業上の利用可能性】
【００５８】
本発明を利用すれば、補助熱交換器を容易に取り付けることができる。
【図面の簡単な説明】
【００５９】
【図１】本発明の実施形態にかかる空気調和機の室内機を前方斜め上から見た模式的斜視図である。
【図２】図１に示す室内機を前方から見た模式図である。
【図３】図２に示す室内機のIII−III断面模式図である。
【図４】図２に示す室内機の前面パネル、前面グリル、及びフィルタユニットを取り外した模式図である。
【図５】図４に示す熱交換器ユニットの右側端部近傍の斜視図である。
【図６】図４に示す熱交換器ユニットの分解斜視図である。
【図７】図４に示す熱交換器ユニットの組み立て途中であって、補助熱交換器が取り付けられる前の状態を示す斜視図である。
【図８】図７の側面図である。
【図９】図４に示す熱交換器ユニットの組み立て途中であって、固定部材の取り付け工程を示す斜視図である。
【図１０】図４に示す熱交換器ユニットの組み立て途中であって、体熱交換器及び補助熱交換器が固定された状態を示す斜視図である。
【図１１】図１０の側面図である。
【符号の説明】
【００６０】
１  室内機（空気調和機）
１２  熱交換器ユニット
２１  本体熱交換器
２２  フィン（第１薄板）
２３  第１端板
２３ａ  第１突出部
２４  補助熱交換器
２５  フィン（第２薄板）
２６  第２端板
２６ａ  第２突出部
【図１】
2010065903.tif 000003
【図２】
2010065903.tif 000004
【図３】
2010065903.tif 000005
【図４】
2010065903.tif 000006
【図５】
2010065903.tif 000007
【図６】
2010065903.tif 000008
【図７】
2010065903.tif 000009
【図８】
2010065903.tif 000010
【図９】
2010065903.tif 000011
【図１０】
2010065903.tif 000012
【図１１】
2010065903.tif 000013
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
複数の第１薄板と、前記複数の第１薄板の一端または両端に配置された第１端板とを有する本体熱交換器と、
複数の第２薄板と、前記複数の第２薄板の一端または両端に配置された第２端板とを有し、前記本体熱交換器に積層される補助熱交換器とを備え、
前記第１端板及び前記第２端板の少なくとも一方は、前記本体熱交換器と前記補助熱交換器とが積層されたときに前記第１薄板と前記第２薄板との間に隙間が形成されるように構成されていることを特徴とする熱交換器ユニット。
【請求項２】
前記第１端板は、前記複数の第１薄板の一部を覆うように突出する第１突出部を有していることを特徴とする請求項１に記載の熱交換器ユニット。
【請求項３】
前記第１突出部は、アース端子として使用可能に構成されていることを特徴とする請求項２に記載の熱交換器ユニット。
【請求項４】
前記第２端板は、前記本体熱交換器とは反対側において前記複数の第２薄板の一部を覆うように突出する第２突出部を有しており、
前記本体熱交換器と前記補助熱交換器とが積層された状態において、前記第１突出部と前記第２突出部とは積層方向に関して重なり合う位置に配置されていることを特徴とする請求項２または３に記載の熱交換器ユニット。
【請求項５】
請求項１〜４のいずれか１項に記載の熱交換器ユニットを備えた空気調和機。 
【手続補正２】
【補正対象書類名】明細書
【補正対象項目名】全文
【補正方法】変更
【補正の内容】
【発明の詳細な説明】
【技術分野】
【０００１】
本発明は、本体熱交換器と補助熱交換器とを有する熱交換器ユニット及びそれを備えた空気調和機に関するものである。
【背景技術】
【０００２】
従来、本体熱交換器と補助熱交換器とを備えており、高い熱交換効率を実現可能な熱交換器ユニットが知られている（例えば、特許文献１参照）。ここで、本体熱交換器及び補助熱交換器としては、いずれも薄板状の複数のフィンが厚み方向に等間隔で配置されていると共に伝熱管が貫通しているものが用いられる。かかる熱交換器ユニットにおいては、補助熱交換器は、積層された状態で本体熱交換器に取り付けられている。
【特許文献１】特開２００１−５９６２８号公報
【発明の開示】
【発明が解決しようとする課題】
【０００３】
ここで、補助熱交換器を本体熱交換器に取り付ける際に、フィン同士が接触すると損傷する虞があるため、本体熱交換器のフィンと補助熱交換器のフィンとの間に隙間が形成されることが多い。従って、上述のような熱交換器ユニットにおいて補助熱交換器を本体熱交換器に取り付ける際には、本体熱交換器のフィンと補助熱交換器のフィンとの間に隙間が形成されるように、補助熱交換器を本体熱交換器から浮かせた状態で手で支えながら取り付け作業を行う必要がある。よって、補助熱交換器を本体熱交換器に取り付ける作業が非常に煩雑である。
【０００４】
この本発明は、上記のような課題を解決するためになされたものであり、補助熱交換器を本体熱交換器に容易に取り付けることができる熱交換器ユニット及びそれを備えた空気調和機を提供することを目的とする。
【課題を解決するための手段】
【０００５】
第１の発明にかかる熱交換器ユニットは、複数の第１薄板と、前記複数の第１薄板の一端または両端に配置された第１端板とを有する本体熱交換器と、複数の第２薄板と、前記複数の第２薄板の一端または両端に配置された第２端板とを有し、前記本体熱交換器に積層される補助熱交換器とを備え、前記第１端板及び前記第２端板の少なくとも一方は、前記本体熱交換器と前記補助熱交換器とが積層されたときに前記第１薄板と前記第２薄板との間に隙間が形成されるように構成されている。
【０００６】
この熱交換器ユニットでは、第１薄板と第２薄板との間に隙間が形成されるように本体熱交換器と補助熱交換器とを積層することができる。したがって、本体熱交換器と補助熱交換器とを積層したときに、補助熱交換器を手で支えて本体熱交換器から浮かせなくても、本体熱交換器の第１薄板と補助熱交換器の第２薄板との間に隙間が形成された状態で保持される。よって、例えば、補助熱交換器を本体熱交換器に積層した状態で取り付ける際に、本体熱交換器の第１端板と補助熱交換器の第２端板とをネジ等で固定するときでも、本体熱交換器との間の隙間を形成しつつ容易に補助熱交換器を取り付けることができる。
【０００７】
第２の発明にかかる熱交換器ユニットは、第１の発明にかかる熱交換器ユニットにおいて、前記第１端板は、前記複数の第１薄板の一部を覆うように突出する第１突出部を有している。
【０００８】
この熱交換器ユニットでは、第１薄板と第２薄板との間に隙間を形成しつつ本体熱交換器に補助熱交換器を積層する構成を簡略化できる。
第３の発明にかかる熱交換器ユニットは、第２の発明にかかる熱交換器ユニットにおいて、前記第１突出部は、アース端子として使用可能に構成されている。
この熱交換器ユニットでは、本体熱交換器に補助熱交換器が取り付けられない場合に、第１突出部をアース端子として利用できる。
【０００９】
第４の発明にかかる熱交換器ユニットは、第２または第３の発明にかかる熱交換器ユニットにおいて、前記第２端板は、前記本体熱交換器とは反対側において前記複数の第２薄板の一部を覆うように突出する第２突出部を有しており、前記本体熱交換器と前記補助熱交換器とが積層された状態において、前記第１突出部と前記第２突出部とは積層方向に関して重なり合う位置に配置されている。
【００１０】
この熱交換器ユニットでは、第１突出部または第２突出部のいずれかをアース端子として利用する際に、補助熱交換器の有無に拘わらず、アース端子に接続されるアース線の長さがほぼ同一となるので、複数種類のアース線を準備する必要がない。また、補助熱交換器の有無に拘わらず、アース端子が他の部品の陰になることがない位置に配置できるので、アース端子へのアース線の接続作業が容易となる。
【００１１】
第５の発明にかかる空気調和機は、第１〜４のいずれかの発明にかかる熱交換器ユニットを備えている。
【００１２】
この空気調和機では、本体熱交換器の第１薄板と補助熱交換器の第２薄板との間に隙間を形成しつつ容易に補助熱交換器を本体熱交換器に取り付けることができるので、組み立て作業を簡易にできる。
【発明の効果】
【００１３】
以上の説明に述べたように、本発明によれば、以下の効果が得られる。
【００１４】
第１の発明では、第１薄板と第２薄板との間に隙間が形成されるように本体熱交換器と補助熱交換器とを積層することができる。従って、本体熱交換器と補助熱交換器とを積層したときに、補助熱交換器を手で支えて本体熱交換器から浮かせなくても、本体熱交換器の第１薄板と補助熱交換器の第２薄板との間に隙間が形成された状態で保持される。よって、例えば、補助熱交換器を本体熱交換器に積層した状態で取り付ける際に、本体熱交換器の第１端板と補助熱交換器の第２端板とをネジ等で固定するときでも、本体熱交換器との間の隙間を形成しつつ容易に補助熱交換器を取り付けることができる。
【００１５】
さらに、第２の発明では、第１薄板と第２薄板との間に隙間を形成しつつ本体熱交換器に補助熱交換器を積層する構成を簡略化できる。また、第３の発明では、本体熱交換器に補助熱交換器が取り付けられない場合に、第１突出部をアース端子として利用できる。
【００１６】
また、第４の発明では、第１突出部または第２突出部のいずれかをアース端子として利用する際に、補助熱交換器の有無に拘わらず、アース端子に接続されるアース線の長さがほぼ同一となるので、複数種類のアース線を準備する必要がない。また、補助熱交換器の有無に拘わらず、アース端子が他の部品の陰になることがない位置に配置できるので、アース端子へのアース線の接続作業が容易となる。
【００１７】
加えて、第５の発明では、本体熱交換器の第１薄板と補助熱交換器の第２薄板との間に隙間を形成しつつ容易に補助熱交換器を本体熱交換器に取り付けることができるので、組み立て作業を簡易にできる。
【発明を実施するための最良の形態】
【００１８】
以下、図面に基づいて、本発明にかかる空気調和機の一実施形態について説明する。
【００１９】
〔基本構成〕
図１は、本発明の実施形態にかかる空気調和機の室内機１を前方斜め上から見た模式的斜視図である。図２は、図１に示す室内機１を前方から見た模式図である。図３は、図２に示す室内機１のIII−III断面模式図である。図４は、図２に示す室内機１の後述する前面パネル２０、前面グリル１７、及びフィルタユニット１５を取り外した模式図である。なお、ここでは室内機１についてのみ説明するが、空気調和機はこの室内機１に室外機などが接続されることにより構成されている。
【００２０】
図１に示すように、本実施形態の室内機１は、全体として一方向に細長い形状を有しており、その長手方向が水平となるように室内の壁面に取り付けられるものである。なお、以下の説明において、室内機１の長手方向を単に「長手方向」と称する。また、室内機１が取り付けられる壁から突出する方向を「前方」とし、その反対の方向を「後方」とする。
【００２１】
この室内機１は、本体ユニット１０と、本体ユニット１０の前面に取り付けられる前面パネル２０とを有して構成される。図３に示すように、本体ユニット１０は、本体ケーシング１１と、熱交換器ユニット１２と、クロスフローファン１３と、電装品ユニット１４と、フィルタユニット１５と、清掃ユニット１６と、前面グリル１７とを含んでいる。
【００２２】
熱交換器ユニット１２、クロスフローファン１３、電装品ユニット１４、及び、フィルタユニット１５は、本体ケーシング１１に取り付けられている。前面グリル１７は、これら熱交換器ユニット１２等の構成部材を覆うように本体ケーシング１１の前面に取り付けられている。清掃ユニット１６は、フィルタユニット１５に当接した状態で保持されるように、前面グリル１７の外側から、当該前面グリル１７の前面に嵌め込まれている。
【００２３】
図１に示すように、前面グリル１７には、天井部分に天面吸込口１７ａが形成されている。当該天面吸込口１７ａは前面グリル１７の天井部分を格子状にして形成されている。また、前面グリル１７の天井部分と前面パネル２０の上端との間には、長手方向に沿って延びる細長形状の隙間である前側吸込口２０ａが形成されている。そして、これら天面吸込口１７ａ及び前側吸込口２０ａから、外部の空気が当該前面グリル１７の内部へ吸い込まれる。
【００２４】
図３に示すように、天面吸込口１７ａ及び前側吸込口２０ａに対向する位置には、フィルタユニット１５によって支持されたエアフィルタ５１が配置されている。エアフィルタ５１は、天面吸込口１７ａと対向する部分の途中まではほぼ水平になっており、そこから前方に向かって外側に湾曲しつつ下方に延びている。このエアフィルタ５１によって、天面吸込口１７ａ又は前側吸込口２０ａを通過する空気に混在する埃等が取り除かれる。
【００２５】
なお、エアフィルタ５１は、フィルタユニット１５に備えられており、且つ図３に示すエアフィルタ５１の下端部近傍に位置するピニオン５２の駆動により移動可能である。すなわち、エアフィルタ５１は、通常運転時には、図３に示す天面吸込口１７ａ及び前側吸込口２０ａに対向する位置にあるが、エアフィルタ５１を清掃する清掃運転時にはピニオン５２が駆動され、ピニオン５２の周囲を通って後方に折り返すように移動する。
【００２６】
清掃ユニット１６は、長手方向に延びるブラシ６１を備えている。そして、清掃ユニット１６は、ブラシ６１がピニオン５２の駆動により移動するエアフィルタ５１の折り返し部分に当接するように、フィルタユニット１５の下方に嵌め込まれている。したがって、清掃運転時にピニオン５２を駆動してエアフィルタ５１を移動させることによって、エアフィルタ５１に付着した埃等をブラシ６１で除去できる。
【００２７】
熱交換器ユニット１２は、図３及び図４に示すように、本体熱交換器２１と本体熱交換器２１に積層される補助熱交換器２４とを有している。補助熱交換器２４は、冷媒と空気との熱交換を助長するためのものであり、これを備えていることで熱交換器ユニット１２は、高い熱交換効率を実現できる。なお、補助熱交換器２４を本体熱交換器２１に積層するか否かは、必要とされる能力などによって機種毎に異なる。
【００２８】
図３に示すように、本体熱交換器２１は、前側部分２１ａと後側部分２１ｂとを逆Ｖ字状に配置して構成されている。そして、本体熱交換器２１の前側部分２１ａの前面に補助熱交換器２４の前側部分２４ａが取り付けられている。また、本体熱交換器２１の後側部分２１ｂの後面に補助熱交換器２４の後側部分２４ｂが取り付けられている。
【００２９】
ここで、補助熱交換器２４の前側部分２４ａの上下方向に沿う長さは、本体熱交換器２１の前側部分２１ａの上下方向に沿う長さに比べて短い。そして、補助熱交換器２４の前側部分２４ａは、本体熱交換器２１の前側部分２１ａの前面をその上端部及び下端部を残して覆うように取り付けられている。図３に示すように、本体熱交換器２１の前側部分２１ａの前面における補助熱交換器２４で覆われていない下端部に対向する位置には、電装品ユニット１４が配置されている。
【００３０】
熱交換器ユニット１２の逆Ｖ字状の内側には、クロスフローファン１３が設けられている。このクロスフローファン１３は軸流ファンと呼ばれているもので、その軸方向が室内機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｂへ空気を滑らかに導くことができる。
【００３１】
本体ケーシング１１は、吹出口１７ｂの上側に位置するように上側壁面１１ｂを有する。当該上側壁面１１ｂは、前側熱交換器１２ａの下方に位置するドレンパン１１ｃと一体に成形されている。ドレンパン１１ｃと前面パネル２０との間の位置には、電装品ユニット１４が配置されている。また、後側熱交換器１２ｂの下方には、後側ドレンパン１１ｄが配置されている。
【００３２】
本体ケーシング１１、前面グリル１７、及び前面パネル２０は、横長のものである。また、吹出口１７ｂは、前面グリル１７の長手方向（横方向）に沿って延びるように形成されている。
【００３３】
室内機１においては、上面の天面吸込口１７ａ及び前側吸込口２０ａからクロスフローファン１３によって吸い込まれた室内空気を熱交換器ユニット１２に通過させ冷媒との間で熱交換させることにより、当該空気の冷却又は加熱が行われる。熱交換後の当該空気は、下面の吹出口１７ｂから室内へと吹出される。
【００３４】
〔熱交換器ユニット〕
ここで、図５及び図６をさらに参照しつつ熱交換器ユニット１２の構成について、より詳細に説明する。図５は、図４に示す熱交換器ユニット１２の右側端部近傍の斜視図である。図６は、熱交換器ユニット１２の分解斜視図である。なお、図６においては、説明の都合上後述する伝熱管２７の図示を一部省略している。また、以降の説明において、図４に示す熱交換器ユニット１２の右側端を「右端」、左側端を「左端」と称する。
【００３５】
本体熱交換器２１は、図５及び図６に示すように、長手方向に沿って等間隔で配置されている薄板状の複数のフィン２２を有するプレートフィン形の熱交換器である。そして、複数のフィン２２の端部には第１端板２３が配置されている。なお、第１端板２３は、複数のフィン２２の両端にそれぞれ配置されている。また、補助熱交換器２４は、本体熱交換器２１と同様に、長手方向に等間隔で配置された薄板状の複数のフィン２５と、複数のフィン２５の端部に配置された第２端板２６とを有している。なお、第２端板２６は、長手方向に沿って配置された複数のフィン２５の右端側にのみ配置されている。
【００３６】
そして、図５に示すように、本体熱交換器２１の複数のフィン２２及び第１端板２３と、補助熱交換器２４の複数のフィン２５及び第２端板２６とは、冷媒の流路となる伝熱管２７の複数の直線部分２７ａが長手方向に貫通している。伝熱管２７の複数の直線部分２７ａは、その端部において接続部分２７ｂによって互いに接続されている。
【００３７】
本体熱交換器２１の右端側の第１端板２３には、図６に示すように、前方側の端部において９０°折り曲げられており、複数のフィン２２の一部を覆うように突出している第１突出部２３ａが形成されている。したがって、補助熱交換器２４が本体熱交換器２１の前面に積層された場合には、第１突出部２３ａが、本体熱交換器２１のフィン２２と補助熱交換器２４のフィン２５と間に隙間を形成するスペーサとして機能する。
【００３８】
なお、第１突出部２３ａは、補助熱交換器２４を設けない機種である場合に、アース端子として機能する。したがって、第１突出部２３ａには、アース線を固定するためのネジを止める切欠き２３ｂが形成されている。
【００３９】
補助熱交換器２４の第２端板２６には、前方側の端部において９０°折り曲げられており、複数のフィン２５の一部を覆うように突出している第２突出部２６ａが形成されている。すなわち、第２突出部２６ａは、本体熱交換器２１とは反対側において複数のフィン２５の一部を覆っている。ここで、第２突出部２６ａは、本体熱交換器２１と補助熱交換器２４とが積層された状態で、本体熱交換器２１に形成された第１突出部２３ａと積層方向に重なり合う位置に形成されている。この第２突出部２６ａは、アース端子として機能するものであり、アース線を固定するためのネジ３０を止める切欠き２６ｂが形成されている。
【００４０】
ここで、補助熱交換器２４を設ける機種にも設けない機種にも対応できるように、本体熱交換器２１の前面における補助熱交換器２４で覆われない領域、すなわち本実施形態においては上端部や下端部にアース端子を設けることも考えられる。しかしながら、上述のように、本体熱交換器２１の前面の下端部に対向する位置には、電装品ユニット１４が配置されている。したがって、この位置にアース端子を設けると、アース線の接続作業ができなくなる。また通常、室内機１は室内の天井近傍の壁面に取り付けられるので、本体熱交換器２１の前面の上端部にアース端子を設けた場合には、アース線の接続作業が困難となる。
【００４１】
図４に示すように、本実施形態においてアース端子として機能する第２突出部２６ａは、前面パネル２０、前面グリル１７、及びフィルタユニット１５を取り外した状態において、他の部品等に覆われることなく前面に露出する位置にある。また、第２突出部２６ａは、上下方向に関して室内機１の略中央に位置している。したがって、第２突出部２６ａにアース線を接続するための作業を容易に行うことができる。さらに、上述のように、補助熱交換器２４を設けない機種である場合にアース端子として機能する第１突出部２３ａは、正面視において第２突出部２６ａと同じ位置に設けられている。したがって、補助熱交換器２４を設けない機種である場合でも、アース線の接続作業を容易に行うことが可能である。
【００４２】
本体熱交換器２１と補助熱交換器２４とは、その右端側において２本のネジ２８によって固定される。具体的には、第１端板２３には、前方に突出しており且つネジ受入孔２３ｃが形成されたネジ止部２３ｄが、第１突出部２３ａを挟んで上下に２つ形成されている。また、第２端板２６には、ネジ受孔２６ｃが２つ形成されている。２本のネジ２８は、これらネジ受入孔２３ｃ、２６ｃにそれぞれ挿通される。したがって、本体熱交換器２１と補助熱交換器２４とは、スペーサである第１突出部２３ａによって、本体熱交換器２１のフィン２２と補助熱交換器２４のフィン２５との間に隙間が形成された状態で固定される。
【００４３】
さらに、図４に示すように、本体熱交換器２１と補助熱交換器２４との左端側には、固定部材２９が嵌め込まれている。固定部材２９は、熱交換器ユニット１２を本体ケーシング１１に固定するためのものである。なお、本体熱交換器２１と補助熱交換器２４との左端側においては、本体熱交換器２１及び補助熱交換器２４に固定部材２９を取り付けることで、本体熱交換器２１のフィン２２と補助熱交換器２４のフィン２５との間に隙間が形成された状態で、本体熱交換器２１及び補助熱交換器２４が位置決めされる。
【００４４】
〔熱交換器ユニットの組み立て手順〕
ここで、図７〜図１１をさらに参照しつつ、熱交換器ユニット１２の組み立て手順について説明する。図７〜図１１は、いずれも組み立て途中の熱交換器ユニット１２を示す図である。図７は、補助熱交換器２４が取り付けられる前の状態を示す斜視図であり、図８は、図７の状態の側面図である。図９は、固定部材２９の取り付け工程を示す斜視図である。図１０は、本体熱交換器２１及び補助熱交換器２４が固定された状態を示す斜視図であり、図１１は、図１０の状態の側面図である。
【００４５】
まず、図７及び図８に示すような本体熱交換器２１と、補助熱交換器２４とを準備する。なお、本体熱交換器２１の右端側の伝熱管２７及び補助熱交換器２４の右端側の伝熱管２７には接続部分２７ｂは取り付けられていない。
【００４６】
次に、補助熱交換器２４を本体熱交換器２１に積層させるが、このとき、本体熱交換器２１の左端部と補助熱交換器２４の左端部とを固定部材２９に嵌め込み、固定部材２９を本体熱交換器２１の第１端板２３にネジ止めする。ここで、図９に示すように、固定部材２９には、本体熱交換器２１の伝熱管２７の接続部分２７ｂが嵌め込まれる挿入孔２９ａと、補助熱交換器２４の伝熱管２７の接続部分２７ｂが嵌め込まれる挿入凹部２９ｂとが形成されている。したがって、これら挿入孔２９ａ及び挿入凹部２９ｂに伝熱管２７を嵌め込むことで、本体熱交換器２１の左端部及び補助熱交換器２４の左端部近傍においては、本体熱交換器２１のフィン２２と補助熱交換器２４のフィン２５との間に隙間が形成された状態となる。
【００４７】
また、このとき、本体熱交換器２１の右端部及び補助熱交換器２４の右端部近傍においては、第１端板２３の第１突出部２３ａがスペーサとして機能することで、本体熱交換器２１のフィン２２と補助熱交換器２４のフィン２５との間に隙間が形成される。従って、補助熱交換器２４を本体熱交換器２１から浮かせなくても、本体熱交換器２１のフィン２２と補助熱交換器２４のフィン２５との間に隙間が形成された状態で保持される。
【００４８】
最後に、図１０及び図１１に示すように、第１突出部２３ａによって隙間が形成されている本体熱交換器２１及び補助熱交換器２４の右端部をネジ２８によって固定することで、熱交換器ユニット１２が完成する。
【００４９】
以上のように、本実施形態の熱交換器ユニット１２は、複数のフィン２２、及び複数のフィン２２の両端に配置された第１端板２３を有する本体熱交換器２１と、複数のフィン２５、及び複数のフィン２５の一端に配置された第２端板２６を有する補助熱交換器２４とを備えている。本体熱交換器２１と補助熱交換器２４とを積層したときに、第１端板２３に形成された第１突出部２３ａがスペーサとして機能し、本体熱交換器２１のフィン２２と補助熱交換器２４のフィン２５との間に隙間が形成される。したがって、熱交換器ユニット１２を組み立てる際において、本体熱交換器２１と補助熱交換器２４とを積層したときに、補助熱交換器２４を手で支える必要がないので、補助熱交換器２４を本体熱交換器２１に積層した状態で取り付けるべく、本体熱交換器２１の第１端板２３と補助熱交換器２４の第２端板２６とをネジ２８で固定する作業を容易に行うことができる。
【００５０】
また、本実施形態の熱交換器ユニット１２では、第１突出部２３ａは、複数のフィン２２の一部を覆うように突出している。したがって、本体熱交換器２１のフィン２２と補助熱交換器２４のフィン２５との間に隙間を形成しつつ本体熱交換器２１に補助熱交換器２４を積層する構成を簡略化できる。さらに、本体熱交換器２１に補助熱交換器２４が取り付けられない場合に、第１突出部２３ａをアース端子として利用できる。
【００５１】
加えて、本実施の形態の熱交換器ユニット１２では、第２端板２６に、本体熱交換器２１とは反対側において複数のフィン２５の一部を覆うように突出する第２突出部２６ａが形成されている。そして、本体熱交換器２１と補助熱交換器２４とが積層された状態において、第１突出部２３ａと第２突出部２６ａとは積層方向に関して重なり合う位置に配置されている。したがって、第１突出部２３ａまたは第２突出部２６ａのいずれかをアース端子として利用する際に、補助熱交換器２４の有無に拘わらず、アース端子に接続されるアース線の長さがほぼ同一となるので、複数種類のアース線を準備する必要がない。また、補助熱交換器２４の有無に拘わらず、アース端子が他の部品の陰になることがない位置に配置できるので、アース端子へのアース線の接続作業が容易となる。
【００５２】
以上、本発明の一実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５３】
例えば、上述の実施形態では、本体熱交換器２１の第１端板２３は、複数のフィン２２の両端に配置されており、補助熱交換器２４の第２端板２６は、複数のフィン２５の一端のみに配置されている場合について説明したが、これには限定されない。従って、本体熱交換器２１及び補助熱交換器２４においては、複数のフィンの少なくとも一方の端部に端板が設けられていればよい。
【００５４】
加えて、上述の実施形態では、本体熱交換器２１の第１端板２３に、本体熱交換器２１のフィン２２と補助熱交換器２４のフィン２５との間のスペーサとして機能する第１突出部２３ａが形成されている場合について説明したが、これには限定されない。従って、例えば、補助熱交換器２４の第２端板２６に、本体熱交換器２１のフィン２２と補助熱交換器２４のフィン２５との間のスペーサとして機能する部分が形成されていてもよいし、これらの両方に形成されていてもよい。また、本体熱交換器２１の第１端板２３及び補助熱交換器２４の第２端板２６の少なくとも一方に、本体熱交換器２１のフィン２２と補助熱交換器２４のフィン２５との間のスペーサとして機能する部分が形成されていればよく、その形状は変更できる。従って、上記のスペーサとして機能する部分は、フィンの一部を覆うように突出する形状のものに限られない。
【００５５】
さらに、上述の実施形態では、熱交換器ユニット１２は、その左端に固定部材２９に嵌め込むことで、本体熱交換器２１のフィン２２と補助熱交換器２４のフィン２５との間に隙間が形成されるので、本体熱交換器２１の右端の第１端板２３のみにスペーサとして機能する第１突出部２３ａが形成されているが、両端の第１端板２３に第１突出部２３ａが形成されていてもよい。
【００５６】
加えて、上述の実施形態では、本体熱交換器２１に形成された第１突出部２３ａと、補助熱交換器２４に形成された第２突出部２６ａとが積層方向に重なり合う場合について説明したが、これらは積層方向に重なっていなくてもよい。
【００５７】
また、上述の実施の形態では、補助熱交換器２４を設けない機種である場合に、第１突出部２３ａがアース端子として機能する場合について説明したが、補助熱交換器２４を設けない機種である場合のアース端子が、第１突出部２３ａとは別に設けられていてもよい。
【産業上の利用可能性】
【００５８】
本発明を利用すれば、補助熱交換器を容易に取り付けることができる。
【図面の簡単な説明】
【００５９】
【図１】本発明の実施形態にかかる空気調和機の室内機を前方斜め上から見た模式的斜視図である。
【図２】図１に示す室内機を前方から見た模式図である。
【図３】図２に示す室内機のIII−III断面模式図である。
【図４】図２に示す室内機の前面パネル、前面グリル、及びフィルタユニットを取り外した模式図である。
【図５】図４に示す熱交換器ユニットの右側端部近傍の斜視図である。
【図６】図４に示す熱交換器ユニットの分解斜視図である。
【図７】図４に示す熱交換器ユニットの組み立て途中であって、補助熱交換器が取り付けられる前の状態を示す斜視図である。
【図８】図７の側面図である。
【図９】図４に示す熱交換器ユニットの組み立て途中であって、固定部材の取り付け工程を示す斜視図である。
【図１０】図４に示す熱交換器ユニットの組み立て途中であって、体熱交換器及び補助熱交換器が固定された状態を示す斜視図である。
【図１１】図１０の側面図である。
【符号の説明】
【００６０】
１  室内機（空気調和機）
１２  熱交換器ユニット
２１  本体熱交換器
２２  フィン（第１薄板）
２３  第１端板
２３ａ  第１突出部
２４  補助熱交換器
２５  フィン（第２薄板）
２６  第２端板
２６ａ  第２突出部